(57)【要約】【課題】マルチプロジェクションシステムが表示する画像全体についての画像処理の簡便化を図れる技術を提供する。【解決手段】第１モードと第２モードを有する表示装置は、第１画像情報を受け取る第１入力部と、前記第１モードでは第１画像情報に画像処理を施して第２画像情報を生成する第１画像処理部と、第３画像情報を受け取る第２入力部と、第１モードでは第２画像情報に画像処理を施して第４画像情報を生成し、第２モードでは第３画像情報に画像処理を施して第５画像情報を生成する第２画像処理部と、第１モードでは第４画像情報に基づく画像を表示面に表示し、第２モードでは第５画像情報に基づく画像を表示面に表示する表示部と、第１モードでは第２画像情報を他の表示装置に出力し、第２モードでは第３画像情報を他の表示装置に出力する出力部と、を含む。【選択図】図２
2020056974.tif 000002
【特許請求の範囲】
【請求項１】
第１モードと第２モードとを有する表示装置であって、
第１画像情報を受け取る第１入力部と、
前記第１モードでは前記第１画像情報に画像処理を施して第２画像情報を生成する第１画像処理部と、
第３画像情報を受け取る第２入力部と、
前記第１モードでは前記第２画像情報に画像処理を施して第４画像情報を生成し、前記第２モードでは前記第３画像情報に画像処理を施して第５画像情報を生成する第２画像処理部と、
前記第１モードでは前記第４画像情報に基づく画像を表示面に表示し、前記第２モードでは前記第５画像情報に基づく画像を前記表示面に表示する表示部と、
前記第１モードでは前記第２画像情報を他の表示装置に出力し、前記第２モードでは前記第３画像情報を前記他の表示装置に出力する出力部と、
を含む表示装置。
【請求項２】
前記第４画像情報は、前記第２画像情報の一部であり、
前記第５画像情報は、前記第３画像情報の一部である、
請求項１に記載の表示装置。
【請求項３】
前記第１画像処理部は、前記第１画像情報の示す第１画像に、前記第１画像の画質を補正するための操作画像が重畳されている重畳画像を示す重畳画像情報を、前記第２画像情報として生成する、
請求項１または２に記載の表示装置。
【請求項４】
前記操作画像に従う前記画質を補正するための操作を受ける操作部を含み、
前記第１画像処理部は、前記操作部が前記操作を受ける場合に、前記画質を補正する画像処理を前記第１画像情報に施して前記第２画像情報を生成する、
請求項３に記載の表示装置。
【請求項５】
前記出力部は、前記第１モードでは、前記第２画像情報のサイズを変更し前記サイズの変更後の前記第２画像情報を前記他の表示装置に出力する、
請求項１から４のいずれか１項に記載の表示装置。
【請求項６】
第１供給画像情報を受け取る第１受取部と、
第２供給画像情報を受け取る第２受取部と、
前記第１供給画像情報と前記第２供給画像情報とが合成される合成画像情報を、前記第１画像情報として生成する合成部と、を含み、
前記第１入力部は、前記合成部が生成する前記第１画像情報を受け取る、
請求項１から５のいずれか１項に記載の表示装置。
【請求項７】
第１表示装置と第２表示装置とを含み、
前記第１表示装置は、
画像情報を受け取る第１入力部と、
前記画像情報に画像処理を施して出力画像情報を生成する出力画像情報生成部と、
前記出力画像情報に画像処理を施して第１表示用画像情報を生成する第１表示用画像情報生成部と、
前記第１表示用画像情報に基づく画像を表示面に表示する第１表示部と、
前記出力画像情報を前記第２表示装置に出力する出力部と、を含み、
前記第２表示装置は、
前記第１表示装置から前記出力画像情報を受け取る第２入力部と、
前記出力画像情報に画像処理を施して第２表示用画像情報を生成する第２表示用画像情報生成部と、
前記第２表示用画像情報に基づく画像を表示面に表示する第２表示部と、を含む
表示システム。
【請求項８】
第１モードと第２モードとを有する表示装置の制御方法であって、
前記第１モードでは、第１画像情報を受け取り、前記第１画像情報に画像処理を施して第２画像情報を生成し、前記第２画像情報に画像処理を施して第４画像情報を生成し、前記第４画像情報に基づく画像を表示面に表示し、前記第２画像情報を他の表示装置に出力し、
前記第２モードでは、第３画像情報を受け取り、前記第３画像情報に画像処理を施して第５画像情報を生成し、前記第５画像情報に基づく画像を前記表示面に表示し、前記第３画像情報を前記他の表示装置に出力する、
表示装置の制御方法。
【請求項９】
第１表示装置と第２表示装置とを含む表示システムの制御方法であって、
前記第１表示装置は、画像情報を受け取り、前記画像情報に画像処理を施して出力画像情報を生成し、前記出力画像情報に画像処理を施して第１表示用画像情報を生成し、前記第１表示用画像情報に基づく画像を表示面に表示し、前記出力画像情報を前記第２表示装置に出力し、
前記第２表示装置は、前記第１表示装置から前記出力画像情報を受け取り、前記出力画像情報に画像処理を施して第２表示用画像情報を生成し、前記第２表示用画像情報に基づく画像を表示面に表示する、
表示システムの制御方法。
【発明の詳細な説明】
【技術分野】
【０００１】
本発明は、表示装置、表示システム、表示装置の制御方法および表示システムの制御方法に関する。
【背景技術】
【０００２】
特許文献１には、複数のプロジェクターの各々が投射する投射画像をつなげてタイリング画像を表示するマルチ画面表示装置が記載されている。このマルチ画面表示装置では、複数のプロジェクターがケーブルを介して直列に接続され、先頭のプロジェクターに画像情報が供給される。先頭のプロジェクターは、この画像情報を２つに分け、一方を投射のために使用し、他方を後段のプロジェクターに供給する。後段のプロジェクターは、先頭のプロジェクターと同様に動作する。
【先行技術文献】
【特許文献】
【０００３】
【特許文献１】特開２００１−８６４２８号公報
【発明の概要】
【発明が解決しようとする課題】
【０００４】
特許文献１に記載のマルチ画面表示装置のようなマルチプロジェクションシステムでは、先頭のプロジェクターの受け取る画像情報がそのまま後段のプロジェクターに供給される。このため、例えば、当該画像情報が示す画像全体について画質を変更する等の画像処理が必要な場合、複数のプロジェクターの各々が個別に画像処理を行う必要があり、使い勝手に問題がある。
【課題を解決するための手段】
【０００５】
本発明に係る表示装置の一態様は、第１モードと第２モードとを有する表示装置であって、第１画像情報を受け取る第１入力部と、前記第１モードでは前記第１画像情報に画像処理を施して第２画像情報を生成する第１画像処理部と、第３画像情報を受け取る第２入力部と、前記第１モードでは前記第２画像情報に画像処理を施して第４画像情報を生成し、前記第２モードでは前記第３画像情報に画像処理を施して第５画像情報を生成する第２画像処理部と、前記第１モードでは前記第４画像情報に基づく画像を表示面に表示し、前記第２モードでは前記第５画像情報に基づく画像を前記表示面に表示する表示部と、前記第１モードでは前記第２画像情報を他の表示装置に出力し、前記第２モードでは前記第３画像情報を前記他の表示装置に出力する出力部と、を含む。
【０００６】
本発明に係る表示システムの一態様は、第１表示装置と第２表示装置とを含み、前記第１表示装置は、画像情報を受け取る第１入力部と、前記画像情報に画像処理を施して出力画像情報を生成する出力画像情報生成部と、前記出力画像情報に画像処理を施して第１表示用画像情報を生成する第１表示用画像情報生成部と、前記第１表示用画像情報に基づく画像を表示面に表示する第１表示部と、前記出力画像情報を前記第２表示装置に出力する出力部と、を含み、前記第２表示装置は、前記第１表示装置から前記出力画像情報を受け取る第２入力部と、前記出力画像情報に画像処理を施して第２表示用画像情報を生成する第２表示用画像情報生成部と、前記第２表示用画像情報に基づく画像を表示面に表示する第２表示部と、を含む。
【０００７】
本発明に係る表示装置の制御方法の一態様は、第１モードと第２モードとを有する表示装置の制御方法であって、前記第１モードでは、第１画像情報を受け取り、前記第１画像情報に画像処理を施して第２画像情報を生成し、前記第２画像情報に画像処理を施して第４画像情報を生成し、前記第４画像情報に基づく画像を表示面に表示し、前記第２画像情報を他の表示装置に出力し、前記第２モードでは、第３画像情報を受け取り、前記第３画像情報に画像処理を施して第５画像情報を生成し、前記第５画像情報に基づく画像を前記表示面に表示し、前記第３画像情報を前記他の表示装置に出力する。
【０００８】
本発明に係る表示システムの制御方法の一態様は、第１表示装置と第２表示装置とを含む表示システムの制御方法であって、前記第１表示装置は、画像情報を受け取り、前記画像情報に画像処理を施して出力画像情報を生成し、前記出力画像情報に画像処理を施して第１表示用画像情報を生成し、前記第１表示用画像情報に基づく画像を表示面に表示し、前記出力画像情報を前記第２表示装置に出力し、前記第２表示装置は、前記第１表示装置から前記出力画像情報を受け取り、前記出力画像情報に画像処理を施して第２表示用画像情報を生成し、前記第２表示用画像情報に基づく画像を表示面に表示する。
【図面の簡単な説明】
【０００９】
【図１】マルチプロジェクションシステム１の一例を示す図である。
【図２】ベースプロジェクター６００の一例を示す図である。
【図３】第１画像情報〜第５画像情報の例を示す図である。
【図４】投射部６１２の一例を示す図である。
【図５】動作モードを設定する動作を説明するためのフローチャートである。
【図６】マスターモード時のベースプロジェクター６００の動作を説明するためのフローチャートである。
【図７】合成画像の一例を示す図である。
【図８】メニュー画像の一例を示す図である。
【図９】重畳画像の一例を示す図である。
【図１０】表示用画像情報が示す画像の一例を示す図である。
【図１１】エッジブレンド処理によって減光される領域Ｒの一例を示す図である。
【図１２】スレーブモード時のベースプロジェクター６００の動作を説明するためのフローチャートである。
【図１３】プロジェクター２００の数のメニュー画像が表示される例を示す図である。
【発明を実施するための形態】
【００１０】
＜Ａ：第１実施形態＞
＜Ａ１：マルチプロジェクションシステム１の概要＞
図１は、第１実施形態に係るマルチプロジェクションシステム１の一例を示す図である。マルチプロジェクションシステム１は、表示システムの一例である。
【００１１】
マルチプロジェクションシステム１は、第１プロジェクター２００ａと第２プロジェクター２００ｂと第３プロジェクター２００ｃと第４プロジェクター２００ｄとを含む。第１プロジェクター２００ａは、第１表示装置の一例である。第２プロジェクター２００ｂは、第２表示装置および他の表示装置の各々の一例である。第１プロジェクター２００ａは、第１ＰＣ（Personal Computer）１００ａと第２ＰＣ１００ｂと第３ＰＣ１００ｃと第４ＰＣ１００ｄとに接続される。
【００１２】
以下、第１ＰＣ１００ａと第２ＰＣ１００ｂと第３ＰＣ１００ｃと第４ＰＣ１００ｄを区別する必要がない場合、これらを「ＰＣ１００」と称する。ＰＣ１００の数は４に限らず１以上であればよい。
【００１３】
また、第１プロジェクター２００ａと第２プロジェクター２００ｂと第３プロジェクター２００ｃと第４プロジェクター２００ｄを区別する必要がない場合、これらを「プロジェクター２００」と称する。プロジェクター２００の数は４に限らず２以上であればよい。
【００１４】
ＰＣ１００は、画像供給装置の一例である。画像供給装置は、一般的にソース機器と称されることもある。画像供給装置はＰＣ１００に限らない。例えば、画像供給装置として、ＤＶＤ（Digital Versatile Disc）プレーヤーが用いられてもよい。
【００１５】
各ＰＣ１００は、画像を示す画像情報を、例えば、ＨＤＭＩ（High Definition Multimedia Interface）ケーブルまたはＬＡＮ（Local Area Network）を通じて第１プロジェクター２００ａに供給する。ＨＤＭＩは登録商標である。各ＰＣ１００と第１プロジェクター２００ａとの接続態様は、ＨＤＭＩケーブルまたはＬＡＮに限らず適宜変更可能である。
【００１６】
以下、第１ＰＣ１００ａ、第２ＰＣ１００ｂ、第３ＰＣ１００ｃ、第４ＰＣ１００ｄが供給する画像情報を、それぞれ、第１供給画像情報、第２供給画像情報、第３供給画像情報、第４供給画像情報と称する。
【００１７】
第１プロジェクター２００ａと第２プロジェクター２００ｂと第３プロジェクター２００ｃと第４プロジェクター２００ｄは、この順番で直列にケーブル等を介して接続されている。当該ケーブルは、例えばＨＤＭＩ２．０規格に対応する。なお、当該ケーブルは、ＨＤＭＩ２．０規格とは異なる規格に対応してもよい。
【００１８】
第１プロジェクター２００ａは、第１供給画像情報と第２供給画像情報と第３供給画像情報と第４供給画像情報とを用いて、出力画像情報を生成する。出力画像情報は、第２プロジェクター２００ｂと第３プロジェクター２００ｃと第４プロジェクター２００ｄに提供される。
【００１９】
第１プロジェクター２００ａは、出力画像情報を用いて、第１投射画像４００ａを第１領域５００ａに投射する。第２プロジェクター２００ｂは、出力画像情報を用いて、第２投射画像４００ｂを第２領域５００ｂに投射する。第３プロジェクター２００ｃは、出力画像情報を用いて、第３投射画像４００ｃを第３領域５００ｃに投射する。第４プロジェクター２００ｄは、出力画像情報を用いて、第４投射画像４００ｄを第４領域５００ｄに投射する。
【００２０】
図１に例示される通り、投射面５００を上下左右に４分割する場合、第１領域５００ａは、投射面５００の左上部分である。第２領域５００ｂは、投射面５００の右上部分である。第３領域５００ｃは、投射面５００の左下部分である。第４領域５００ｄは、投射面５００の右下部分である。投射面５００は、例えばスクリーンまたは壁であり、表示面の一例である。なお、投射面５００は、スクリーンまたは壁に限らず、適宜変更可能である。
【００２１】
なお、第１領域５００ａと第２領域５００ｂと第３領域５００ｃと第４領域５００ｄとの相対的な位置関係は、図１に示す位置関係に限らず適宜変更可能である。例えば、第１領域５００ａと第２領域５００ｂと第３領域５００ｃと第４領域５００ｄは、各々の一部が相互に重なってもよい。以下では、第１領域５００ａと第２領域５００ｂと第３領域５００ｃと第４領域５００ｄは、各々の一部が相互に重なっているとする。
【００２２】
＜Ａ２：プロジェクター２００の構成例＞
図２は、第１プロジェクター２００ａと第２プロジェクター２００ｂと第３プロジェクター２００ｃと第４プロジェクター２００ｄの各々に用いることができるベースプロジェクター６００の一例を示す図である。
【００２３】
ベースプロジェクター６００は、動作モードとして、マスターモードとスレーブモードとを有する。マスターモードは第１モードの一例である。スレーブモードは第２モードの一例である。
【００２４】
以下、マルチプロジェクションシステム１が４台のベースプロジェクター６００にて構成される例を説明する。具体的には、第１プロジェクター２００ａは、マスターモードのベースプロジェクター６００によって構成される。第２プロジェクター２００ｂと第３プロジェクター２００ｃと第４プロジェクター２００ｄの各々は、スレーブモードのベースプロジェクター６００によって構成される。
【００２５】
ベースプロジェクター６００は、第１受取部６０１ａと、第２受取部６０１ｂと、第３受取部６０１ｃと、第４受取部６０１ｄと、第１前処理部６０２ａと、第２前処理部６０２ｂと、第３前処理部６０２ｃと、第４前処理部６０２ｄと、合成部６０３と、第１入力部６０４と、第１画像処理部６０５と、第２入力部６０６と、を含む。ベースプロジェクター６００は、さらに、操作部６０７と、記憶部６０８と、制御部６０９と、選択部６１０と、第２画像処理部６１１と、投射部６１２と、出力部６１３と、を含む。
【００２６】
第１受取部６０１ａ、第２受取部６０１ｂ、第３受取部６０１ｃ、第４受取部６０１ｄは、それぞれ、第１供給画像情報、第２供給画像情報、第３供給画像情報、第４供給画像情報を受け取る。
以下、第１受取部６０１ａと第２受取部６０１ｂと第３受取部６０１ｃと第４受取部６０１ｄとを区別する必要がない場合、これらを「受取部６０１」と称する。受取部６０１の数は４に限らず２以上であればよい。なお、合成部６０３が省略される場合には、受取部６０１の数は１でもよい。この場合、１つの受取部６０１が第１入力部６０４を兼ねてもよい。
【００２７】
第１前処理部６０２ａ、第２前処理部６０２ｂ、第３前処理部６０２ｃ、第４前処理部６０２ｄは、それぞれ、第１供給画像情報、第２供給画像情報、第３供給画像情報、第４供給画像情報について画像処理を施す。
以下、第１前処理部６０２ａと第２前処理部６０２ｂと第３前処理部６０２ｃと第４前処理部６０２ｄとを区別する必要がない場合、これらを「前処理部６０２」と称する。前処理部６０２の数は４に限らず２以上であればよい。なお、合成部６０３が省略される場合には、前処理部６０２は省略されてもよい。
【００２８】
合成部６０３は、第１供給画像情報と第２供給画像情報と第３供給画像情報と第４供給画像情報とを合成して、合成画像を示す合成画像情報を生成する。合成画像情報は、第１画像情報の一例である。合成画像は、第１画像の一例である。
合成画像では、第１供給画像情報が示す第１供給画像と、第２供給画像情報が示す第２供給画像と、第３供給画像情報が示す第３供給画像と、第４供給画像情報が示す第４供給画像とが繋げられている。本実施形態では、合成画像において、第１供給画像が左上に位置し、第２供給画像が右上に位置し、第３供給画像が左下に位置し、第４供給画像が右下に位置する。なお、合成部６０３は省略されてもよい。
【００２９】
第１入力部６０４は、合成画像情報を受け取る。第１入力部６０４は、合成部６０３からではなく例えば外部機器から合成画像情報を受け取ってもよい。第１入力部６０４は、例えば、入力端子または配線である。
【００３０】
第１画像処理部６０５は、合成画像情報に画像処理を施して出力画像情報を生成する。第１画像処理部６０５は、出力画像情報生成部の一例である。出力画像情報は、第２画像情報の一例である。第１画像処理部６０５は、合成画像処理部６０５ａと、重畳部６０５ｂと、を含む。
【００３１】
合成画像処理部６０５ａは、合成画像情報に画像処理を施す。合成画像処理部６０５ａは、画像処理として、例えば、合成画像情報が示す合成画像の画質を補正する画質補正処理を用いる。
【００３２】
重畳部６０５ｂは、合成画像にメニュー画像が重畳されている重畳画像を示す重畳画像情報を、出力画像情報として生成する。メニュー画像は、合成画像処理部６０５ａに画質補正処理を実行させるための画像であり、合成画像の画質を補正するための操作画像の一例である。
なお、メニュー画像の表示が不要の場合、重畳部６０５ｂは、重畳画像情報を生成せずに、合成画像処理部６０５ａが生成する合成画像情報を、出力画像情報として出力してもよい。
【００３３】
第１受取部６０１ａ〜第４受取部６０１ｄと、第１前処理部６０２ａ〜第４前処理部６０２ｄと、合成部６０３と、第１入力部６０４と、第１画像処理部６０５は、主にマスターモードにおいて、機能する。
【００３４】
第２入力部６０６は、マスターモードの第１プロジェクター２００ａが生成する出力画像情報を、直接的または間接的に受け取る。第２入力部６０６が受け取る出力画像情報は、第３画像情報の一例である。
【００３５】
第２入力部６０６は、主にスレーブモードにおいて、機能する。
【００３６】
操作部６０７は、例えば、各種の操作ボタン、操作キーまたはタッチパネルである。操作部６０７は、利用者の入力操作を受け取る。例えば、操作部６０７は、メニュー画像に従って利用者が入力する画質補正操作を受ける。画質補正操作は、合成画像の画質を補正するための操作の一例である。
【００３７】
記憶部６０８は、コンピューターが読み取り可能な記録媒体である。記憶部６０８は、ベースプロジェクター６００の動作を規定するプログラムと、種々の情報とを記憶する。種々の情報としては、出力画像情報から切り出される表示用画像情報の切り出し位置を示す切り出し位置情報を記憶する。切り出し位置情報は、例えば、利用者によって入力される。
【００３８】
制御部６０９は、ＣＰＵ（Central Processing Unit）等のコンピューターである。制御部６０９は、１または複数の処理装置で構成されてもよい。制御部６０９は、記憶部６０８が記憶するプログラムを読み取り実行することによって、ベースプロジェクター６００を制御する。例えば、制御部６０９は、動作モードを管理する。
【００３９】
選択部６１０は、制御部６０９の管理する動作モードがマスターモードである場合、第１画像処理部６０５が生成する出力画像情報を、第２画像処理部６１１と出力部６１３に分配する。選択部６１０は、動作モードがスレーブモードである場合、第２入力部６０６が受け取る出力画像情報を、第２画像処理部６１１と出力部６１３に分配する。
【００４０】
第２画像処理部６１１は、選択部６１０から提供される出力画像情報に対して画像処理を施して表示用画像情報を生成する。マスターモードのベースプロジェクター６００の第２画像処理部６１１は、第１表示用画像情報生成部の一例である。スレーブモードのベースプロジェクター６００の第２画像処理部６１１は、第２表示用画像情報生成部の一例である。マスターモードの場合に生成される表示用画像情報は、第４画像情報および第１表示用画像情報の各々の一例である。スレーブモードの場合に生成される表示用画像情報は、第５画像情報および第２表示用画像情報の各々の一例である。
【００４１】
第２画像処理部６１１は、画像切り出し部６１１ａと、画像拡大縮小部６１１ｂと、減光処理部６１１ｃと、を含む。
【００４２】
画像切り出し部６１１ａは、記憶部６０８に記憶されている切り出し位置情報に基づいて、出力画像情報から表示用画像情報を切り出す。このため、表示用画像情報は、出力画像情報の一部となる。なお、切り出し位置情報は、制御部６０９によって記憶部６０８から画像切り出し部６１１ａに提供される。
【００４３】
画像拡大縮小部６１１ｂは、表示用画像情報が示す画像のサイズを変更する。
【００４４】
減光処理部６１１ｃは、サイズ変更後の表示用画像情報にエッジブレンド処理を施す。エッジブレンド処理とは、画像の繋ぎ目を目立たなくする処理である。エッジブレンド処理では、投射面５００において複数の画像同士の一部が重畳する重畳領域に減光処理を施す行うことにより、重畳領域と非重畳領域の照度の段差を目立ち難くする。
【００４５】
投射部６１２は、表示用画像情報に基づく画像を投射面５００に投射する。投射部６１２は表示部の一例である。マスターモードのベースプロジェクター６００の投射部６１２は、第１表示部の一例である。スレーブモードのベースプロジェクター６００の投射部６１２は、第２表示部の一例である。
【００４６】
出力部６１３は、選択部６１０から提供される出力画像情報を、後段のプロジェクター２００に出力する。出力部６１３は、リサイズ処理部６１３ａと画像出力部６１３ｂとを含む。
【００４７】
リサイズ処理部６１３ａは、出力画像情報が示す画像のサイズを変更する。
【００４８】
画像出力部６１３ｂは、サイズ変更後の出力画像情報を、後段のプロジェクター２００に出力する。
【００４９】
本実施形態における第１画像情報から第５画像情報の例を図３にまとめる。
【００５０】
＜Ａ３：投射部６１２の構成例＞
図４は、投射部６１２の一例を示す図である。投射部６１２は、ライトバルブ駆動部１１と、光源駆動部１２と、光源１３と、赤色用液晶ライトバルブ１４Ｒと、緑色用液晶ライトバルブ１４Ｇと、青色用液晶ライトバルブ１４Ｂと、投射光学系１５と、を含む。以下、赤色用液晶ライトバルブ１４Ｒと、緑色用液晶ライトバルブ１４Ｇと、青色用液晶ライトバルブ１４Ｂとを相互に区別する必要がない場合、これらを「液晶ライトバルブ１４」と称する。
【００５１】
ライトバルブ駆動部１１は、減光処理部６１１ｃから入力される表示用画像情報に基づいて液晶ライトバルブ１４を駆動する。光源駆動部１２は、制御部６０９に制御されて光源１３を駆動する。
【００５２】
光源１３は、キセノンランプ、超高圧水銀ランプ、ＬＥＤ（Light Emitting Diode）、またはレーザー光源等である。光源１３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１４Ｒに入射する。緑色の色光成分は緑色用液晶ライトバルブ１４Ｇに入射する。青色の色光成分は青色用液晶ライトバルブ１４Ｂに入射する。
【００５３】
液晶ライトバルブ１４は、一対の透明基板間に液晶が存在する液晶パネル等によって構成される。液晶ライトバルブ１４は、マトリクス状に位置する複数の画素１４ｐを含む矩形の画素領域１４ａを有する。液晶ライトバルブ１４では、液晶に対して画素１４ｐごとに駆動電圧が印加される。ライトバルブ駆動部１１が、減光処理部６１１ｃから入力される表示用画像情報に基づく駆動電圧を各画素１４ｐに印加すると、各画素１４ｐは、駆動電圧に基づく光透過率に設定される。このため、光源１３から射出される光は、画素領域１４ａを通ることで変調され、表示用画像情報に基づく画像が色光ごとに形成される。
【００５４】
各色の画像は、図示しない色合成光学系によって画素１４ｐごとに合成され、カラー画像である投射画像が生成される。投射画像は、投射光学系１５によって投射面５００に投射される。
【００５５】
＜Ａ４：動作モードの設定＞
図５は、ベースプロジェクター６００において動作モードを設定する動作を説明するためのフローチャートである。
【００５６】
ステップＳ１０１において操作部６０７がモード設定操作を受け取ると、ステップＳ１０２において制御部６０９は、モード設定操作がマスターモード設定操作であるか否かを判断する。
【００５７】
ステップＳ１０２においてマスターモード設定操作である場合、ステップＳ１０３において制御部６０９は、動作モードをマスターモードに設定する。
【００５８】
制御部６０９は、動作モードをマスターモードに設定すると、ステップＳ１０４において選択部６１０に、第１画像処理部６０５の出力する出力画像情報を、第２画像処理部６１１と出力部６１３とに分配させる。
【００５９】
一方、ステップＳ１０２においてスレーブモード設定操作である場合、ステップＳ１０５において制御部６０９は、動作モードをスレーブモードに設定する。
【００６０】
制御部６０９は、動作モードをスレーブモードに設定すると、ステップＳ１０６において選択部６１０に、第２入力部６０６が受け取る出力画像情報を、第２画像処理部６１１と出力部６１３とに分配させる。
【００６１】
＜Ａ５：マスターモード時のベースプロジェクター６００の動作＞
図６は、マスターモード時のベースプロジェクター６００の動作、つまり、第１プロジェクター２００ａの動作を説明するためのフローチャートである。
【００６２】
ステップＳ２０１において第１受取部６０１ａ、第２受取部６０１ｂ、第３受取部６０１ｃ、第４受取部６０１ｄが、それぞれ、第１供給画像情報、第２供給画像情報、第３供給画像情報、第４供給画像情報を受け取る。
【００６３】
続いて、ステップＳ２０２において第１前処理部６０２ａ、第２前処理部６０２ｂ、第３前処理部６０２ｃ、第４前処理部６０２ｄは、それぞれ、第１供給画像情報、第２供給画像情報、第３供給画像情報、第４供給画像情報に必要に応じて画像処理を施す。
【００６４】
ステップＳ２０２では、第１前処理部６０２ａ、第２前処理部６０２ｂ、第３前処理部６０２ｃ、第４前処理部６０２ｄの各々は、入力される供給画像情報の形式が、合成部６０３が処理できる供給画像情報の形式と異なる場合、入力される供給画像情報の形式を、合成部６０３が処理できる供給画像情報の形式に変更する。一例を挙げると、合成部６０３が処理できる供給画像情報の形式がデジタル形式である状況で第１供給画像情報がアナログ信号で示される場合、第１前処理部６０２ａは、第１供給画像情報をデジタル信号に変換する。
【００６５】
続いて、ステップＳ２０３において合成部６０３は、第１供給画像情報と第２供給画像情報と第３供給画像情報と第４供給画像情報とを用いて合成画像情報を生成する。例えば、第１供給画像情報が「○」を示し、第２供給画像情報が「×」を示し、第３供給画像情報が「△」を示し、第４供給画像情報が「□」を示す場合、合成部６０３は、図７に例示されるように、「○」が左上に位置し「×」が右上に位置し「△」が左下に位置し「□」が右下に位置する合成画像Ｇを示す合成画像情報を生成する。なお、合成画像Ｇは、図７に例示される画像に限らず適宜変更可能である。合成画像情報は、第１入力部６０４を介して合成画像処理部６０５ａに提供される。
【００６６】
続いて、ステップＳ２０４において合成画像処理部６０５ａは、合成画像情報に画像処理、具体的には画質補正処理を施す。画質補正処理としては、例えば、超解像処理、シャープネス処理または色調整処理が挙げられる。超解像処理は、合成画像Ｇの解像度を上げる処理である。シャープネス処理は、合成画像Ｇにおいて画素の輝度値とその隣接画素の輝度値との差を増大させる処理である。色調整処理は、合成画像Ｇにおいて色を調整する処理である。なお、画質補正処理は、超解像処理、シャープネス処理または色調整処理に限らず、合成画像Ｇの画質を補正する処理であればよい。
【００６７】
合成画像処理部６０５ａは、例えば、後述のステップＳ２１０で投射されるメニュー画像に従って利用者が操作部６０７を用いて入力する画質補正操作に応じて、画質補正処理を実行する。なお、合成画像処理部６０５ａは、操作部６０７が画質補正操作を受け取っていない場合には、合成画像情報に対して画質補正処理を実行せず、画質補正処理が施されていない合成画像情報を出力する。
【００６８】
続いて、ステップＳ２０５において重畳部６０５ｂは、合成画像Ｇにメニュー画像が重畳されている重畳画像を示す重畳画像情報を、出力画像情報として生成する。
【００６９】
メニュー画像としては、例えば図８に例示されるメニュー画像Ｍが用いられる。図８に示すメニュー画像Ｍでは、画質補正処理としてシャープネス処理が示される。メニュー画像Ｍは、図８に例示される画像に限られない。
メニュー画像Ｍとして図８に示すメニュー画像Ｍが用いられる場合、重畳画像としては、例えば、図９に例示される重畳画像Ｔが用いられる。図９に示す重畳画像Ｔでは、図７に示す合成画像Ｇに図８に示すメニュー画像Ｍが重畳されている。
【００７０】
図６に戻って、動作モードがマスターモードであるので、ステップＳ２０６において選択部６１０は、重畳部６０５ｂが出力する出力画像情報を、第２画像処理部６１１と出力部６１３に分配する。
【００７１】
続いて、ステップＳ２０７において画像切り出し部６１１ａは、切り出し位置情報に基づいて出力画像情報から表示用画像情報を切り出す。図１０は、マスターモードである第１プロジェクター２００ａが切り出す表示用画像情報が示す画像Ｓの一例を示す図である。
【００７２】
続いて、ステップＳ２０８において画像拡大縮小部６１１ｂは、表示用画像情報のサイズ、すなわち表示用画像情報が示す画像Ｓの解像度を、投射部６１２の液晶ライトバルブ１４の解像度と同じ解像度に変更する。
【００７３】
続いて、ステップＳ２０９において減光処理部６１１ｃは、サイズ変更後の表示用画像情報にエッジブレンド処理を施す。エッジブレンド処理によって減光される領域Ｒの一例を図１１に示す。図１１において、領域Ｒは他の画像と重畳される領域でもある。
【００７４】
続いて、ステップＳ２１０において投射部６１２は、エッジブレンド処理が施されている表示用画像情報に基づく画像Ｓを投射面５００の第１領域５００ａに投射する。
【００７５】
一方、出力部６１３では、ステップＳ２１１においてリサイズ処理部６１３ａは、重畳部６０５ｂが生成する出力画像情報のサイズ、すなわち出力画像情報が示す重畳画像Ｔの解像度を、画像出力部６１３ｂが対応可能な解像度に変更する。画像出力部６１３ｂが対応可能な解像度は、画像出力部６１３ｂが対応する規格、例えば、ＨＤＭＩ２．０規格によって予め決まっている。換言すると、画像出力部６１３ｂが対応可能な解像度は、画像出力部６１３ｂに接続されるケーブルが対応する規格によって予め決まっている。リサイズ処理部６１３ａは、解像度変更後の出力画像情報を画像出力部６１３ｂに出力する。
なお、出力画像情報の解像度が、画像出力部６１３ｂが対応可能な解像度である場合、リサイズ処理部６１３ａは、出力画像情報の解像度を変更せずに、出力画像情報を画像出力部６１３ｂに出力する。
【００７６】
続いて、ステップＳ２１２では、画像出力部６１３ｂは、リサイズ処理部６１３ａから受け取る出力画像情報を、後段のプロジェクター２００に出力する。
【００７７】
なお、ステップＳ２０７からステップＳ２１０までの処理と、ステップＳ２１１からステップＳ２１２までの処理は、並列に実行されることが望ましい。
【００７８】
＜Ａ６：スレーブモード時のベースプロジェクター６００の動作＞
図１２は、スレーブモード時のベースプロジェクター６００の動作、つまり、第２プロジェクター２００ｂ〜第４プロジェクター２００ｄの動作を説明するためのフローチャートである。
【００７９】
ステップＳ３０１において第２入力部６０６は、前段のプロジェクター２００から出力画像情報を受け取る。
【００８０】
続いて、動作モードがスレーブモードであるので、ステップＳ３０２において選択部６１０は、第２入力部６０６が受け取る出力画像情報を、第２画像処理部６１１と出力部６１３に分配する。
【００８１】
続いて、ステップＳ３０３〜ステップＳ３０８が実行される。なお、ステップＳ３０３〜ステップＳ３０８は、取り扱われる出力画像情報が、重畳部６０５ｂが出力する出力画像情報ではなく、第２入力部６０６が受け取る出力画像情報である点と、表示用画像情報の切り出し位置が異なる点と、減光処理が施される領域Ｒの位置が異なる点と、画像の投射位置が異なる点を除いて、図６に示すステップＳ２０７〜ステップＳ２１２と同様であり、さらに言えば公知の技術である。なお、ステップＳ３０８は、後段のプロジェクター２００が存在しない場合、省略される。
【００８２】
ここで、ステップＳ３０３では、前段のプロジェクター２００によって解像度が調整済みの出力画像情報から表示用画像情報が切り出され、その後のステップＳ３０４において、当該表示用画像情報の解像度が、液晶ライトバルブ１４の解像度と同一の解像度に変更される。
例えば、第１プロジェクター２００ａが生成する出力画像情報の解像度が、第１プロジェクター２００ａと第２プロジェクター２００ｂとを接続するケーブルが対応できない大きさである場合、第１プロジェクター２００ａは、解像度を縮小してから出力画像情報を第２プロジェクター２００ｂに出力する。そして、第２プロジェクター２００ｂは、当該出力画像情報から表示用画像情報を切り出し、当該表示用画像情報の解像度を、液晶ライトバルブ１４の解像度と一致するように例えば拡大する。
よって、マルチプロジェクションシステム１は、プロジェクター２００同士を接続するケーブルが対応できない大きさの解像度の出力画像情報が示す画像を、投射面５００に表示できる。例えば、各プロジェクター２００が４Ｋの解像度の画像を表示できるが、プロジェクター２００を接続するケーブルが４Ｋの解像度の出力画像情報を伝送できなくても、各プロジェクター２００は４Ｋの解像度の画像を投射面５００に表示可能になる。
【００８３】
本実施形態に係るベースプロジェクター６００およびベースプロジェクター６００の制御方法によれば、マスターモードのベースプロジェクター６００つまり第１プロジェクター２００ａは、合成画像情報に画像処理を施して出力画像情報を生成し、当該出力画像情報の一部に基づく画像を表示し、かつ、当該出力画像情報を後段のプロジェクター２００に出力する。
よって、複数のプロジェクター２００を備えるマルチプロジェクションシステム１であっても、１台のプロジェクター２００つまり第１プロジェクター２００ａのみで、合成画像全体に対する変更を行うことが可能になる。特に本実施形態では、第１プロジェクター２００ａは、メニュー画像Ｍに従う画質補正操作に応じて、合成画像Ｇの画質を補正するため、合成画像Ｇ全体の画質を補正できる。よって、各プロジェクター２００が合成画像Ｇについて部分的に画質を補正する場合に比べて、補正の手間を軽減できる。
【００８４】
また、後段のプロジェクター２００が受け取る出力画像情報には画像処理が既に施されているため、後段のプロジェクター２００において、第１プロジェクター２００ａが行う画像処理と同様の画像処理、例えば画質補正処理を行う必要がない。よって、後段のプロジェクター２００の処理負荷を低減可能になる。
【００８５】
また、第１プロジェクター２００ａが、メニュー画像Ｍの重畳されている重畳画像Ｔを示す重畳画像情報を生成するため、各プロジェクター２００が重畳画像情報を生成する必要がない。よって、後段のプロジェクター２００の処理負荷を低減可能になる。
また、例えば複数のプロジェクター２００の各々がメニュー画像Ｍを投射面５００に表示する場合、例えば図１３に示すようにプロジェクター２００の数のメニュー画像Ｍが表示され、操作性に問題が生じる。
これに対して本実施形態では、図９に例示される通り、１つのメニュー画像Ｍが表示されるので、プロジェクター２００の数の複数のメニュー画像Ｍが表示される構成に比べて、メニュー画像Ｍの操作性が高くなる。
また、メニュー画像Ｍの中心位置と合成画像Ｇの中心位置とが一致するように、重畳画像情報が重畳部６０５ｂによって生成されると、メニュー画像Ｍの視認性を向上可能になる。なお、メニュー画像Ｍの中心位置と合成画像Ｇの中心位置とは一致していなくてもよい。
【００８６】
また、第１プロジェクター２００ａが合成画像情報を生成するため、第１プロジェクター２００ａの他に、合成画像情報を生成する装置が必要にならず、当該装置がなくても、マルチプロジェクションシステム１は合成画像Ｇを投射面５００に表示できる。
【００８７】
また、ベースプロジェクター６００は、動作モードを切り替えることで第１プロジェクター２００ａから第４プロジェクター２００ｄのいずれにも対応できるため、汎用性が高い。
【００８８】
＜Ｂ：変形例＞
第１実施形態において、例えば以下に例示する構成が採用されてもよい。
【００８９】
＜Ｂ１：変形例１＞
第１実施形態において、前処理部６０２と合成部６０３と第１画像処理部６０５は、マスターモードのときに動作し、スレーブモードのときに動作しなくてもよい。一例を挙げると、制御部６０９は、スレーブモードのとき前処理部６０２と合成部６０３と第１画像処理部６０５に不図示の電源供給部から電源電圧を供給せず、マスターモードのときに前処理部６０２と合成部６０３と第１画像処理部６０５とに当該電源供給部から電源電圧を供給する。
【００９０】
＜Ｂ２：変形例２＞
第１実施形態および変形例１において、合成画像Ｇでは、第１供給画像と第２供給画像と第３供給画像と第４供給画像とは、面積および形状は相互に同一でなくてもよい。例えば、図７に示す合成画像Ｇにおいて、第１供給画像が、他の供給画像よりも大きくてもよい。また、合成画像において、第１供給画像と第２供給画像と第３供給画像と第４供給画像とのいずれもが存在しない領域があってもよい。この領域は、例えば黒色で表示される。
また、各プロジェクター２００が出力画像情報から切り出す表示用画像情報のサイズは、相互に等しくなくてもよい。
【００９１】
＜Ｂ３：変形例３＞
第１実施形態および変形例１〜変形例２において、例えば、画像出力部６１３ｂの対応可能な解像度、すなわち、画像出力部６１３ｂに接続されるケーブルの対応可能な解像度が第１閾値以上である場合、リサイズ処理部６１３ａは省略されてもよい。
【００９２】
＜Ｂ４：変形例４＞
第１実施形態および変形例１〜変形例３において、操作部６０７はリモコンでもよい。この場合、利用者は、第１プロジェクター２００ａのリモコンを用いて、メニュー画像に従う画質補正操作を行うことが可能になる。
【００９３】
＜Ｂ５：変形例５＞
第１実施形態および変形例１〜変形例４において、各プロジェクター２００が動作モードを自動的に切り替えてもよい。例えば、制御部６０９は、第１入力部６０４が画像情報、具体的には合成画像情報を受け取る場合、動作モードをマスターモードに設定する。一方、第２入力部６０６が画像情報、具体的には合成画像情報を受け取る場合、制御部６０９は、動作モードをスレーブモードに設定する。
【００９４】
＜Ｂ６：変形例６＞
第１実施形態および変形例１〜変形例５において、エッジブレンド処理は省略されてもよい。この場合、減光処理部６１１ｃが省略されることが望ましい。
【００９５】
＜Ｂ７：変形例７＞
第１実施形態および変形例１〜変形例６において、前処理部６０２と合成部６０３と第１画像処理部６０５と制御部６０９と選択部６１０と第２画像処理部６１１とリサイズ処理部６１３ａの全部または一部は、例えばＦＰＧＡ（field programmable gate array）またはＡＳＩＣ（Application Specific IC）等の電子回路によって実現されてもよい。
【００９６】
＜Ｂ８：変形例８＞
第１実施形態および変形例１〜変形例７において、光変調装置の一例として液晶ライトバルブ１４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１３が発した光を変調可能な構成は、光変調装置として採用できる。
【００９７】
＜Ｂ９：変形例９＞
表示装置は、プロジェクター２００に限らず、液晶ディスプレイ等の直視型のディスプレイもよい。
【符号の説明】
【００９８】
１…マルチプロジェクションシステム、２００ａ…第１プロジェクター、２００ｂ…第２プロジェクター、２００ｃ…第３プロジェクター、２００ｄ…第４プロジェクター、６００…ベースプロジェクター、６０１ａ…第１受取部、６０１ｂ…第２受取部、６０１ｃ…第３受取部、６０１ｄ…第４受取部、６０２ａ…第１前処理部、６０２ｂ…第２前処理部、６０２ｃ…第３前処理部、６０２ｄ…第４前処理部、６０３…合成部、６０４…第１入力部、６０５…第１画像処理部、６０５ａ…合成画像処理部、６０５ｂ…重畳部、６０６…第２入力部、６０７…操作部、６０８…記憶部、６０９…制御部、６１０…選択部、６１１…第２画像処理部、６１１ａ…画像切り出し部、６１１ｂ…画像拡大縮小部、６１１ｃ…減光処理部、６１２…投射部、６１３…出力部、６１３ａ…リサイズ処理部、６１３ｂ…画像出力部。
【図１】
2020056974.tif 000003
【図２】
2020056974.tif 000004
【図３】
2020056974.tif 000005
【図４】
2020056974.tif 000006
【図５】
2020056974.tif 000007
【図６】
2020056974.tif 000008
【図７】
2020056974.tif 000009
【図８】
2020056974.tif 000010
【図９】
2020056974.tif 000011
【図１０】
2020056974.tif 000012
【図１１】
2020056974.tif 000013
【図１２】
2020056974.tif 000014
【図１３】
2020056974.tif 000015